(57)【要約】【課題】顧客にとっては、商圏図を閲覧できる一方、新聞折込広告業者にとっては、商圏に関する資料の標準化、及び顧客からの商圏に関する問合せ・資料請求への対応業務の省力化を図ることができる商圏管理システムを提供する。【解決手段】商圏管理サーバー２並びにｗｅｂサーバー３を備え、ｗｅｂサーバー３が、認証データベースと、縮尺データベースと、表示座標データベースと、閲覧サイトへの顧客ＰＣ（顧客端末）５のログインを許可又は拒否する手段と、ＩＤ及びパスワードに対応するデフォルトの縮尺及びデフォルトの表示座標を抽出する手段と、部署選択メニュー２７又は店舗選択メニュー２５を顧客ＰＣ５に転送する手段と、ベース地図３２の一部を顧客ＰＣ５に転送する手段と、新聞配達エリア図５３上の商圏５４を区別化して商圏図５１を生成し、生成された商圏図５１の一部を顧客ＰＣ５に転送する手段と、を備えた。【選択図】図１
2008090440.tif 000002
【特許請求の範囲】
【請求項１】
縮尺が異なる複数のベース地図、複数の新聞配達エリア図、複数の商圏名、表示範囲、複数の部署選択メニュー、及び複数の店舗選択メニューを含む基本情報を記憶する手段と、記憶された基本情報を外部へ転送する手段とを有する商圏管理サーバー、並びに、
転送された基本情報を受信する手段と、受信された基本情報を記憶する手段とを有するｗｅｂサーバー、
を備えた商圏管理システムであって、
前記ｗｅｂサーバーが、
顧客のＩＤとパスワードとを対応付けて記憶する認証データベースと、
顧客のＩＤ及びパスワードとデフォルトの縮尺とを対応付けて記憶する縮尺データベースと、
顧客のＩＤ及びパスワードとデフォルトの表示座標とを対応付けて記憶する表示座標データベースと、
前記ｗｅｂサーバーにネットワークを介してアクセスした顧客端末の操作部により入力されたＩＤ及びパスワードを前記認証データベースと照合し、前記ｗｅｂサーバー上の閲覧サイトへの前記顧客端末のログインを許可又は拒否する手段と、
前記顧客端末のログインが許可されかつ入力されたＩＤ及びパスワードが店舗のＩＤ及びパスワードである場合に、前記縮尺データベース及び前記表示座標データベースを検索し、入力されたＩＤ及びパスワードに対応するデフォルトの縮尺及びデフォルトの表示座標をそれぞれ抽出する手段と、
前記顧客端末のログインが許可されかつ入力されたＩＤ及びパスワードが複数の店舗の属する部署のＩＤ及びパスワードである場合に、前記顧客端末の表示部により表示されるように、入力されたＩＤ及びパスワードに基づいて、記憶された部署選択メニュー又は店舗選択メニューを前記顧客端末に転送する手段と、
転送された部署選択メニュー上の部署名が前記顧客端末の操作部により選択された場合に、前記顧客端末の表示部により表示されるように、選択された部署名に基づいて、記憶された部署選択メニュー又は店舗選択メニューを前記顧客端末に転送する手段と、
転送された店舗選択メニュー上の店舗名が前記顧客端末の操作部により選択された場合に、前記縮尺データベース及び前記表示座標データベースを検索し、入力されたＩＤ及びパスワードに対応するデフォルトの縮尺及びデフォルトの表示座標をそれぞれ抽出する手段と、
前記顧客端末の表示部により表示されるように、抽出されたデフォルトの縮尺及びデフォルトの表示座標、並びに記憶された基本情報中の表示範囲に基づいて、記憶された基本情報中のベース地図の一部を前記顧客端末に転送する手段と、
前記顧客端末の操作部により縮尺及び表示座標が入力された場合に、前記顧客端末の表示部により表示されるように、入力された縮尺及び表示座標、並びに記憶された基本情報中の表示範囲に基づいて、記憶された基本情報中のベース地図の一部を前記顧客端末に転送する手段と、
前記顧客端末の操作部により商圏名、縮尺、及び表示座標が入力された場合に、入力された商圏名に基づいて、記憶された基本情報中の新聞配達エリア図上の商圏を区別化して商圏図を生成し、前記顧客端末の表示部により前記ベース地図上に重ね合わせて表示されるように、入力された縮尺及び表示座標、並びに記憶された基本情報中の表示範囲に基づいて、生成された商圏図の一部を前記顧客端末に転送する手段と、
を備えたことを特徴とする商圏管理システム。
【請求項２】
前記基本情報に複数の新聞配達エリア図名、複数の新聞販売店名、及び各新聞販売店の新聞配達部数が含まれると共に、
前記ｗｅｂサーバーが、
前記顧客端末の操作部により新聞配達エリア図名、縮尺、表示座標、及び、新聞配達エリア図の表示指示が入力された場合に、前記顧客端末の表示部により前記ベース地図及び前記商圏図の上に重ね合わせて表示されるように、入力された新聞配達エリア図名、縮尺、及び表示座標、並びに記憶された基本情報中の表示範囲に基づいて、記憶された基本情報中の新聞配達エリア図の一部を前記顧客端末に転送する手段と、
前記顧客端末の操作部により新聞配達エリア図名、縮尺、表示座標、及び、新聞配達エリア図と新聞販売店名との表示指示が入力された場合に、前記顧客端末の表示部により前記ベース地図及び前記商圏図の上に重ね合わせて表示されるように、入力された新聞配達エリア図名、縮尺、及び表示座標、並びに記憶された基本情報中の表示範囲に基づいて、記憶された基本情報中の新聞配達エリア図の一部及び新聞販売店名を前記顧客端末に転送する手段と、
前記顧客端末の操作部により新聞配達エリア図名、縮尺、表示座標、及び、新聞配達エリア図と新聞販売店名と新聞配達部数との表示指示が入力された場合に、前記顧客端末の表示部により前記ベース地図及び前記商圏図の上に重ね合わせて表示されるように、入力された新聞配達エリア図名、縮尺、及び表示座標、並びに記憶された基本情報中の表示範囲に基づいて、記憶された基本情報中の新聞配達エリア図の一部、新聞販売店名、及び新聞配達部数を前記顧客端末に転送する手段と、
を備えた請求項１記載の商圏管理システム。
【請求項３】
前記基本情報に複数の店舗名、複数の新聞販売店名、各新聞販売店の新聞配達部数、及び各新聞販売店の広告チラシ配布部数が含まれると共に、
前記ｗｅｂサーバーが、前記顧客端末の操作部により配布明細表の表示指示及び商圏名が入力された場合に、入力された商圏名に基づいて、記憶された基本情報中の複数の店舗名、複数の新聞販売店名、各新聞販売店の新聞配達部数、及び各新聞販売店の広告チラシ配布部数からなる配布明細表を作成し、前記顧客端末の表示部により表示されるように、作成された配布明細表を前記顧客端末に転送する手段を備えた請求項１又は２記載の商圏管理システム。
【請求項４】
前記基本情報に複数のマーケット図及び複数のマーケット図名が含まれると共に、
前記ｗｅｂサーバーが、前記顧客端末の操作部によりマーケット図名、縮尺、及び表示座標が入力された場合に、前記顧客端末の表示部により前記ベース地図及び前記商圏図の上に重ね合わせて表示されるように、入力されたマーケット図名、縮尺、及び表示座標、並びに記憶された基本情報中の表示範囲に基づいて、記憶された基本情報中のマーケット図の一部を前記顧客端末に転送する手段を備えた請求項１から３のいずれか記載の商圏管理システム。
【請求項５】
前記基本情報に複数の参考対象マーク、複数の参考対象マーク名、及び各参考対象の位置座標が含まれると共に、
前記ｗｅｂサーバーが、前記顧客端末の操作部により参考対象マーク名が入力された場合に、前記顧客端末の表示部により前記ベース地図及び前記商圏図の上に重ね合わせて表示されるように、入力された参考対象マーク名、並びに、記憶された基本情報中の表示範囲及びそれに含まれる参考対象の位置座標に基づいて、記憶された基本情報中の参考対象マークを前記顧客端末に転送する手段を備えた請求項１から４のいずれか記載の商圏管理システム。
【請求項６】
前記基本情報に各参考対象の参考対象情報が含まれると共に、
前記ｗｅｂサーバーが、前記顧客端末の操作部により前記ベース地図上の参考対象マークが選択された場合に、前記顧客端末の表示部により表示されるように、選択された参考対象マークに基づいて、記憶された基本情報中の参考対象情報を前記顧客端末に転送する手段を備えた請求項５記載の商圏管理システム。
【発明の詳細な説明】
【技術分野】
【０００１】
本発明は、顧客から新聞折込広告を受注する新聞折込広告業者が顧客の各店舗の商圏等を一括して管理できると共に、新聞折込広告を発注する顧客が各店舗の広告チラシの配布エリアを示す商圏図等を閲覧できる商圏管理システムに関するものである。
【背景技術】
【０００２】
従来のこの種の分野の技術としては、
新聞折込広告用の広告チラシに掲載された広告内容の情報を提供するチラシ情報ホームページをインターネット上に開設する手段と、
都道府県単位等のエリアマップをディスプレイ表示する手段と、
表示されたエリアマップ上の複数の地域の中から所望の地域を選択する手段と、
選択された地域に基づいて広告主名及び広告内容の簡略文が記載されたチラシ見出し欄を表示する手段と、
表示されたチラシ見出し欄上の複数の見出しの中から所望の見出しを選択する手段と、
選択された見出しに基づいて広告主の広告チラシを表示する手段と、
を備えたことを特徴とする、インターネットを利用したチラシ情報提供システム（例えば、特許文献１参照。）等が知られている。
【特許文献１】特開２００２−１５２０２号公報（請求項３、図４、図５等）
【０００３】
ここで、新聞折込広告により配布される広告チラシは、新聞と一緒に家庭に届けられるものであり、それを届けられた家庭が買物の参考にすることが日常に定着している、即効性のある広告媒体である。また、この広告チラシは、それが折り込まれる媒体新聞、及びそれを媒体新聞に折り込む日・地域・配布部数を、各媒体新聞の新聞販売店単位で細かく指定して配布できるエリア媒体でもある。そのため、店舗等における販売促進に、新聞折込広告が多く利用されている。
【０００４】
この新聞折込広告の出稿量の５０％近くを占める業種は流通小売業であり、サービス業等の店舗を構える他の業種を含めると、何らかの「店舗」に関する新聞折込広告が全出稿量の過半数を占めている。
【０００５】
近年、これら流通小売業を中心とした、新聞折込広告の主体となる店舗業態の有力企業がチェーン化による多店舗展開を加速してきており、全国チェーン化した企業では数百店舗以上の規模となっている。一方、多店舗展開している企業の新聞折込広告の運用・管理を行う部門においては、店舗数の増加に応じて人員が増員されるどころか、逆に、管理コスト削減のために縮小されかねない状況にある。
【０００６】
また、広告チラシが折り込まれる媒体新聞としては、いわゆる全国紙の他、概ね各都道府県ごとに存在する地方紙、及び複数の都道府県に渡るブロック紙がある。このような媒体新聞の数は、主なものだけで６０紙を超えている。更に、各媒体新聞の配達をそれぞれ行う新聞販売店の総数は約３万店に及んでおり、各新聞販売店の新聞配達エリアは各新聞社ごとに異なっている。そのため、多店舗展開している企業の店舗が自店舗の来店エリア（商圏）で新聞折込広告を実施する際には、自店舗の所在エリアで普及している媒体新聞の新聞配達エリア図及び各新聞販売店の新聞配達部数の一覧表を新聞折込広告業者から入手し、それらの資料を参照しながら、広告チラシを折り込む媒体新聞の新聞販売店及び広告チラシの配布部数を設定・管理する必要がある。
【発明の開示】
【発明が解決しようとする課題】
【０００７】
しかし、多店舗展開している企業においては、店舗数が増加し、店舗網が拡大するに従い、新聞折込広告の運用に関する資料も膨大となるので、印刷した資料を参照する紙ベースの体制では、新聞折込広告の管理ができなくなるという問題点がある。
【０００８】
また、上記のような企業等の顧客から新聞折込広告を受注し、新聞折込広告の手配を行う新聞折込広告業者のうち、全国にある各媒体新聞の新聞配達エリア図、及び広告チラシを折り込み可能な媒体新聞の新聞配達部数のデータを揃えている所は業界でも限られており、そのデータの更新・管理も十分とはいえない所が多いのが現実である。そのため、新聞折込広告業者にとっては、図１２に示すように、広域に多店舗展開された顧客の各店舗の商圏（広告チラシの配布エリア）の設定・管理に関する資料の管理、顧客からの商圏に関する問合せへの応対、及び顧客からの商圏に関する資料請求の都度の資料作成が大きな負担となっている。
【０００９】
更に、前記インターネットを利用したチラシ情報提供システムは、広告チラシに掲載された広告内容、又は広告チラシ紙面の画像を表示するものであり、上記のような新聞折込広告の運用・管理に関する課題を解決しようとするものではない。
【００１０】
本発明は、以上のような事情や問題点に鑑みてなされたものであり、新聞折込広告を発注する顧客にとっては、各店舗についての広告チラシの配布エリアを示す商圏図を閲覧できる一方、顧客から新聞折込広告を受注する新聞折込広告業者にとっては、商圏に関する資料の標準化、及び顧客からの商圏に関する問合せ・資料請求への対応業務の省力化を図ることができる商圏管理システムを提供することを目的とする。
【課題を解決するための手段】
【００１１】
上記目的を達成するための請求項１の発明は、縮尺が異なる複数のベース地図、複数の新聞配達エリア図、複数の商圏名、表示範囲、複数の部署選択メニュー、及び複数の店舗選択メニューを含む基本情報を記憶する手段と、記憶された基本情報を外部へ転送する手段とを有する商圏管理サーバー、並びに、転送された基本情報を受信する手段と、受信された基本情報を記憶する手段とを有するｗｅｂサーバー、を備えた商圏管理システムであって、前記ｗｅｂサーバーが、顧客のＩＤとパスワードとを対応付けて記憶する認証データベースと、顧客のＩＤ及びパスワードとデフォルトの縮尺とを対応付けて記憶する縮尺データベースと、顧客のＩＤ及びパスワードとデフォルトの表示座標とを対応付けて記憶する表示座標データベースと、前記ｗｅｂサーバーにネットワークを介してアクセスした顧客端末の操作部により入力されたＩＤ及びパスワードを前記認証データベースと照合し、前記ｗｅｂサーバー上の閲覧サイトへの前記顧客端末のログインを許可又は拒否する手段と、前記顧客端末のログインが許可されかつ入力されたＩＤ及びパスワードが店舗のＩＤ及びパスワードである場合に、前記縮尺データベース及び前記表示座標データベースを検索し、入力されたＩＤ及びパスワードに対応するデフォルトの縮尺及びデフォルトの表示座標をそれぞれ抽出する手段と、前記顧客端末のログインが許可されかつ入力されたＩＤ及びパスワードが複数の店舗の属する部署のＩＤ及びパスワードである場合に、前記顧客端末の表示部により表示されるように、入力されたＩＤ及びパスワードに基づいて、記憶された部署選択メニュー又は店舗選択メニューを前記顧客端末に転送する手段と、転送された部署選択メニュー上の部署名が前記顧客端末の操作部により選択された場合に、前記顧客端末の表示部により表示されるように、選択された部署名に基づいて、記憶された部署選択メニュー又は店舗選択メニューを前記顧客端末に転送する手段と、転送された店舗選択メニュー上の店舗名が前記顧客端末の操作部により選択された場合に、前記縮尺データベース及び前記表示座標データベースを検索し、入力されたＩＤ及びパスワードに対応するデフォルトの縮尺及びデフォルトの表示座標をそれぞれ抽出する手段と、前記顧客端末の表示部により表示されるように、抽出されたデフォルトの縮尺及びデフォルトの表示座標、並びに記憶された基本情報中の表示範囲に基づいて、記憶された基本情報中のベース地図の一部を前記顧客端末に転送する手段と、前記顧客端末の操作部により縮尺及び表示座標が入力された場合に、前記顧客端末の表示部により表示されるように、入力された縮尺及び表示座標、並びに記憶された基本情報中の表示範囲に基づいて、記憶された基本情報中のベース地図の一部を前記顧客端末に転送する手段と、前記顧客端末の操作部により商圏名、縮尺、及び表示座標が入力された場合に、入力された商圏名に基づいて、記憶された基本情報中の新聞配達エリア図上の商圏を区別化して商圏図を生成し、前記顧客端末の表示部により前記ベース地図上に重ね合わせて表示されるように、入力された縮尺及び表示座標、並びに記憶された基本情報中の表示範囲に基づいて、生成された商圏図の一部を前記顧客端末に転送する手段と、を備えたものである。
【００１２】
請求項２の発明は、前記基本情報に複数の新聞配達エリア図名、複数の新聞販売店名、及び各新聞販売店の新聞配達部数が含まれると共に、前記ｗｅｂサーバーが、前記顧客端末の操作部により新聞配達エリア図名、縮尺、表示座標、及び、新聞配達エリア図の表示指示が入力された場合に、前記顧客端末の表示部により前記ベース地図及び前記商圏図の上に重ね合わせて表示されるように、入力された新聞配達エリア図名、縮尺、及び表示座標、並びに記憶された基本情報中の表示範囲に基づいて、記憶された基本情報中の新聞配達エリア図の一部を前記顧客端末に転送する手段と、前記顧客端末の操作部により新聞配達エリア図名、縮尺、表示座標、及び、新聞配達エリア図と新聞販売店名との表示指示が入力された場合に、前記顧客端末の表示部により前記ベース地図及び前記商圏図の上に重ね合わせて表示されるように、入力された新聞配達エリア図名、縮尺、及び表示座標、並びに記憶された基本情報中の表示範囲に基づいて、記憶された基本情報中の新聞配達エリア図の一部及び新聞販売店名を前記顧客端末に転送する手段と、前記顧客端末の操作部により新聞配達エリア図名、縮尺、表示座標、及び、新聞配達エリア図と新聞販売店名と新聞配達部数との表示指示が入力された場合に、前記顧客端末の表示部により前記ベース地図及び前記商圏図の上に重ね合わせて表示されるように、入力された新聞配達エリア図名、縮尺、及び表示座標、並びに記憶された基本情報中の表示範囲に基づいて、記憶された基本情報中の新聞配達エリア図の一部、新聞販売店名、及び新聞配達部数を前記顧客端末に転送する手段と、を備えたものである。
【００１３】
請求項３の発明は、前記基本情報に複数の店舗名、複数の新聞販売店名、各新聞販売店の新聞配達部数、及び各新聞販売店の広告チラシ配布部数が含まれると共に、前記ｗｅｂサーバーが、前記顧客端末の操作部により配布明細表の表示指示及び商圏名が入力された場合に、入力された商圏名に基づいて、記憶された基本情報中の複数の店舗名、複数の新聞販売店名、各新聞販売店の新聞配達部数、及び各新聞販売店の広告チラシ配布部数からなる配布明細表を作成し、前記顧客端末の表示部により表示されるように、作成された配布明細表を前記顧客端末に転送する手段を備えたものである。
【００１４】
請求項４の発明は、前記基本情報に複数のマーケット図及び複数のマーケット図名が含まれると共に、前記ｗｅｂサーバーが、前記顧客端末の操作部によりマーケット図名、縮尺、及び表示座標が入力された場合に、前記顧客端末の表示部により前記ベース地図及び前記商圏図の上に重ね合わせて表示されるように、入力されたマーケット図名、縮尺、及び表示座標、並びに記憶された基本情報中の表示範囲に基づいて、記憶された基本情報中のマーケット図の一部を前記顧客端末に転送する手段を備えたものである。
【００１５】
請求項５の発明は、前記基本情報に複数の参考対象マーク、複数の参考対象マーク名、及び各参考対象の位置座標が含まれると共に、前記ｗｅｂサーバーが、前記顧客端末の操作部により参考対象マーク名が入力された場合に、前記顧客端末の表示部により前記ベース地図及び前記商圏図の上に重ね合わせて表示されるように、入力された参考対象マーク名、並びに、記憶された基本情報中の表示範囲及びそれに含まれる参考対象の位置座標に基づいて、記憶された基本情報中の参考対象マークを前記顧客端末に転送する手段を備えたものである。
【００１６】
請求項６の発明は、前記基本情報に各参考対象の参考対象情報が含まれると共に、前記ｗｅｂサーバーが、前記顧客端末の操作部により前記ベース地図上の参考対象マークが選択された場合に、前記顧客端末の表示部により表示されるように、選択された参考対象マークに基づいて、記憶された基本情報中の参考対象情報を前記顧客端末に転送する手段を備えたものである。
【発明の効果】
【００１７】
請求項１の発明によれば、顧客にとっては、所望の商圏図を閲覧できる一方、商圏管理者である新聞折込広告業者にとっては、商圏に関する資料の標準化、及び顧客からの商圏に関する問合せ・資料請求への対応業務の省力化を図ることができる。
【００１８】
請求項２の発明によれば、顧客が新聞折込広告の実施を計画するための基本資料を簡単に閲覧することができる。また、新聞販売店の統廃合、新聞配達部数の改定等による新聞配達エリア図、新聞販売店名、及び新聞配達部数の更新履歴を管理しておけば、任意の日付を指定することによって、過去の基本資料を閲覧することができる。
【００１９】
請求項３の発明によれば、店舗に関する新聞折込広告の実施状況を簡単に確認することができる。また、新聞販売店の統廃合、新聞配達部数の改定等による新聞販売店名、新聞配達部数、及び広告チラシ配布部数の更新履歴を管理しておけば、任意の日付を指定することによって、新聞折込広告の過去の実施状況を確認することができる。
【００２０】
請求項４の発明によれば、商圏の広がり・地域的な特徴を把握した上で、販売促進・売場作りの立案、顧客会員の利用域と商圏との整合性検証等を簡単に行うことができる。
【００２１】
請求項５の発明によれば、顧客の店舗位置、競合者の店舗位置、顧客の店舗と競合者の店舗との位置関係、来店誘導看板の位置、出店予定地の位置等を把握し易い。
【００２２】
請求項６の発明によれば、顧客が参考対象の外観、店舗概要、誘導内容、不動産契約概要等を把握し易い。
【発明を実施するための最良の形態】
【００２３】
以下、本発明の実施形態を図面に基づいて説明する。
本実施形態に係る商圏管理システム１は、図１に示すように、主な構成要素として、商圏管理サーバー２及びｗｅｂサーバー３を備えている。
【００２４】
商圏管理サーバー２及びｗｅｂサーバー３は、商圏管理者側社内ＬＡＮ（local area network、構内情報通信網）１１上に設けられている。ここでいう商圏管理者とは、顧客から新聞折込広告を受注する新聞折込広告業者をいう。また、商圏とは、新聞折込広告により店舗の広告チラシが配布される少なくとも１つの新聞配達エリアをいう。
【００２５】
商圏管理者側社内ＬＡＮ１１上には、商圏管理クライアントＰＣ（パーソナルコンピューター）４も設けられている。なお、商圏管理クライアントＰＣ４の数は、１つに限定されるものではなく、２つ以上であってもよい。
【００２６】
商圏管理者側社内ＬＡＮ１１は、ルーター１２を介してインターネット（ネットワーク）１３に接続されている。ルーター１２には、ファイアウォール１４を介して商圏管理システム１が接続されている。ファイアウォール１４には、ハブ１５を介して商圏管理サーバー２及び商圏管理クライアントＰＣ４が接続されていると共に、ＤＭＺ（de-militarized zone、非武装地帯）としてのハブ１６を介してｗｅｂサーバー３が接続されている。そのため、商圏管理クライアントＰＣ４は商圏管理サーバー２にアクセス可能であると共に、商圏管理サーバー２及び商圏管理クライアントＰＣ４はファイアウォール１４を介してｗｅｂサーバー３にアクセス可能である。なお、商圏管理サーバー２、ｗｅｂサーバー３、及び商圏管理クライアントＰＣ４は、商圏管理者側社内ＬＡＮ１１以外のネットワーク上に設けてもよい。
【００２７】
ハブ１５には、更にハブ１７を介して新聞折込広告受発注システム１８及びＧＩＳ（geographic information system、地図情報システム）１９が接続されている。そのため、商圏管理クライアントＰＣ４は、新聞折込広告受発注システム１８及びＧＩＳ１９にもアクセス可能である。
【００２８】
インターネット１３には、顧客側社内ＬＡＮ２０も接続されている。顧客側社内ＬＡＮ２０上には、例えば、店舗の顧客ＰＣ（顧客端末）５、複数の店舗が属する地域事業部（部署）の顧客ＰＣ（顧客端末）５、及び複数の地域事業部が属しかつそれにより複数の店舗も属する本部（部署）の顧客ＰＣ（顧客端末）５が設けられている。そのため、顧客ＰＣ５は、インターネット１３を介してｗｅｂサーバー３にアクセス可能である。
【００２９】
なお、顧客の複数の店舗が属する部署は、地域事業部や本部に限定されるものではなく、それら以外の組織であってもよい。顧客ＰＣ５の数も、３つに限定されるものではなく、１つ、２つ、又は４つ以上であってもよい。少なくとも１つの顧客ＰＣ５を有する顧客の数も、１社に限定されるものではなく、２社以上であってもよい。そのため、ｗｅｂサーバー３においては、複数の顧客における複数の顧客ＰＣ５による同時アクセスを可能としておけばよい。
【００３０】
また、顧客ＰＣ５は、顧客側社内ＬＡＮ２０以外のネットワーク上に設けてもよいし、あるいはネットワーク上に設けなくてもよい。顧客ＰＣ５をネットワーク上に設けない場合は、店舗、複数の店舗が属する部署以外の場所（例えば顧客の従業員の自宅）に設置した顧客ＰＣ５、あるいは公衆無線ＬＡＮ等にアクセス可能なモバイル型の顧客ＰＣ５等として、インターネット１３に接続できる環境にしておけばよい。いずれにしても、顧客ＰＣ５には、ｗｅｂサーバー３上の閲覧サイトの情報を閲覧可能なｗｅｂブラウザ等をインストールしておけばよい。ｗｅｂブラウザとしては、「インターネット・エクスプローラー（商品名、マイクロソフト社製）」の他、従来公知の各種のものを利用することができる。
【００３１】
一方、セキュリティーの点からインターネット１３を介した接続を許さない顧客については、商圏管理システム１内にその顧客専用のＷｅｂサーバー３を別途設け、この専用のｗｅｂサーバー３と顧客側社内ＬＡＮ２０とを専用回線もしくはプライベートネットワーク回線で接続するイントラネット構成にしてもよい。
【００３２】
更に、顧客端末は、ＰＣ（パーソナルコンピュータ）に限定されるものではなく、携帯情報端末（personal digital assistant、ＰＤＡ）、携帯電話、ＰＨＳ（personal handy phone system）、ＰＨＳ内蔵携帯情報端末等であってもよい。商圏管理クライアントＰＣ４も、商圏管理者端末としての携帯情報端末、携帯電話、ＰＨＳ、ＰＨＳ内蔵携帯情報端末等であってもよい。
【００３３】
商圏管理サーバー２の記憶部には、縮尺が異なる複数のベース地図、複数の新聞配達エリア図、複数の商圏名、表示範囲、複数の部署選択メニュー、複数の店舗選択メニュー、複数の新聞配達エリア図名、複数の新聞販売店名、各新聞販売店の新聞配達部数、複数の店舗名、複数の新聞販売店名、各新聞販売店の新聞配達部数、各新聞販売店の広告チラシ配布部数、複数のマーケット図、複数のマーケット図名、複数の参考対象マーク、複数の参考対象マーク名、及び各参考対象の位置座標、及び各参考対象の参考対象情報を含む基本情報等が格納されている。
【００３４】
商圏管理サーバー２の記憶部上の基本情報は、商圏管理サーバー２の転送部によりｗｅｂサーバー３に転送される。転送された基本情報は、ｗｅｂサーバー３の受信部により受信される。受信された基本情報は、ｗｅｂサーバー３の記憶部に格納されている。
【００３５】
ｗｅｂサーバー３の記憶部には、認証データベース、縮尺データベース、及び表示座標データベース等も格納されている。
【００３６】
認証データベースは、顧客のＩＤとパスワードとを対応付けて記憶している。ＩＤ及びパスワードは、顧客の店舗や部署ごとにそれぞれ発行されている。顧客の店舗や部署が商圏管理システム１の閲覧サービスを利用するには、あらかじめ商圏管理者に対して閲覧会員の登録申請をし、自店舗専用又は自部署専用のＩＤ及びパスワードの発行を受けておけばよい。
【００３７】
また、ＩＤ及びパスワードには、後述するように、ｗｅｂサーバー３上の閲覧サイトへの顧客ＰＣ５のログインが許可された場合にｗｅｂサーバー３の転送部が顧客ＰＣ５に転送するものを、顧客ＰＣ５の操作部により入力されたＩＤ及びパスワードに応じて、閲覧サイト上の閲覧ページ、店舗選択メニュー、又は部署選択メニューとすることによって、閲覧権限が設定されている。なお、閲覧権限は、店舗、地域事業部、及び本部の３階層に限定されるものではなく、店舗とその上位１階層の部署とからなる２階層、又は店舗とその上位３階層以上の部署とからなる４階層以上であってもよい。
【００３８】
縮尺データベースは、顧客のＩＤ及びパスワードとデフォルトの縮尺とを対応付けて記憶している。表示座標データベースは、顧客のＩＤ及びパスワードとデフォルトの表示座標とを対応付けて記憶している。
【００３９】
商圏管理サーバー３の記憶部上の基本情報に含まれる適宜のデータ、並びに、ｗｅｂサーバー３の記憶部上の認証データベース、縮尺データベース、及び表示座標データベース等については、商圏管理クライアントＰＣ４の操作部により更新することができる。この際、商圏管理クライアントＰＣ４は、図１に示すように、新聞折込広告受発注システム１８の記憶部やＧＩＳ１９の記憶部から取り込んで必要に応じて加工したデータを利用することができる。更新後の基本情報は、商圏管理サーバー２の転送部によりｗｅｂサーバー３に転送される。転送された更新後の基本情報は、ｗｅｂサーバー３の受信部により受信される。受信された更新後の基本情報は、ｗｅｂサーバー３の記憶部に格納される。
【００４０】
次に、商圏管理システム１の閲覧サービスにおける処理例を、図２〜図４に示すフローチャートに基づいて説明する。なお、この処理は、顧客ＰＣ５の操作部による操作に対応してｗｅｂサーバー３の制御部が発行する命令等に従って行われる。また、図２〜図４における点線で囲んだ処理は、顧客ＰＣ５の操作部によるものを示している。
【００４１】
この処理において、顧客ＰＣ５がインターネット１３を介してｗｅｂサーバー３上の閲覧サイトにアクセスした場合（ステップＳ１）、閲覧サイト上のトップページ２１が顧客ＰＣ５に転送される（ステップＳ２）。図５に示すように、転送されたトップページ２１は、顧客ＰＣ５の表示部により表示される。
【００４２】
表示されたトップページ２１上のＩＤ（ユーザ名）入力欄２２及びパスワード入力欄２３にそれぞれＩＤ及びパスワードを入力し、転送ボタン（例えば「次へ」ボタン）２４をクリックすることによって、顧客ＰＣ５の操作部によりＩＤ及びパスワードが入力された場合（ステップＳ３）、入力されたＩＤ及びパスワードが認証データベースと照合され（ステップＳ４）、閲覧サイトへの顧客ＰＣ５のログインが許可又は拒否される（ステップＳ５）。
【００４３】
顧客ＰＣ５のログインが拒否された場合（ステップＳ５でＮＯ）、ステップＳ２に戻る。一方、顧客ＰＣ５のログインが許可され（ステップＳ５でＹＥＳ）、かつ入力されたＩＤ及びパスワードが店舗（例えば「伊丹店」）のＩＤ及びパスワードである場合（ステップＳ６でＹＥＳ）、縮尺データベース及び表示座標データベースが検索され、入力されたＩＤ及びパスワードに対応するデフォルトの縮尺（例えば「１／２５０００」）及びデフォルトの表示座標（例えば「伊丹店」の位置座標）がそれぞれ抽出される（ステップＳ７）。
【００４４】
顧客ＰＣ５のログインが許可され（ステップＳ５でＹＥＳ）、かつ、入力されたＩＤ及びパスワードが店舗のＩＤ及びパスワードでなく（ステップＳ６でＮＯ）、複数の店舗の属する例えば地域事業部（例えば「関西エリア事業部」）のＩＤ及びパスワードである場合（ステップＳ８でＹＥＳ）、入力されたＩＤ及びパスワードに基づいて、ｗｅｂサーバー３の記憶部（以下、単に「記憶部」という。）上の店舗選択メニューが顧客ＰＣ５に転送される（ステップＳ９）。図６に示すように、転送された店舗選択メニュー２５は、顧客ＰＣ５の表示部により表示される。
【００４５】
表示された店舗選択メニュー２５上の店舗名（例えば「伊丹店」）２６が顧客ＰＣ５の操作部により選択された場合（ステップＳ１０）、ステップＳ７に進む。
【００４６】
なお、店舗選択メニュー２５上の店舗名２６は、地域事業部に属する各店舗の名称に限定されるものではなく、地域事業部に属する全店舗を意味する図６のような「全店舗」等であってもよい。
【００４７】
顧客ＰＣ５のログインが許可され（ステップＳ５でＹＥＳ）、かつ、入力されたＩＤ及びパスワードが店舗のＩＤ及びパスワードでなく（ステップＳ６でＮＯ）、地域事業部のＩＤ及びパスワードでもない場合（ステップＳ８でＮＯ）、すなわち、複数の地域事業部の属する例えば本部のＩＤ及びパスワードである場合、入力されたＩＤ及びパスワードに基づいて、記憶部上の部署選択メニューが顧客ＰＣに転送される（ステップＳ１１）。図７に示すように、転送された部署選択メニュー２７は、顧客ＰＣ５の表示部により表示される。
【００４８】
表示された部署選択メニュー２７上の地域事業部名（例えば「関西エリア」）２８が顧客ＰＣ５の操作部により選択された場合（ステップＳ１２）、選択された地域事業部名に基づいて、記憶部上の店舗選択メニュー２５が顧客ＰＣに転送された（ステップＳ１３）後、ステップＳ１０に進む。
【００４９】
なお、部署選択メニュー２７上の地域事業部名２８は、本部に属する各地域事業部の名称に限定されるものではなく、本部に属する全店舗を意味する「全店舗」等であってもよい。また、選択された部署名の部署に更に下位の複数の部署が属している場合は、選択された部署名に基づいて、記憶部上の部署選択メニュー２７が転送され、上記と同様の処理が繰り返される。
【００５０】
入力されたＩＤ及びパスワードが店舗のＩＤ及びパスワードである場合は、入力されたＩＤ及びパスワードに基づいて、入力されたＩＤ及びパスワードが地域事業部又は本部のＩＤ及びパスワードである場合は、選択された店舗名２６に基づいて、それぞれ閲覧サイト上の閲覧ページ３１が顧客ＰＣ５に転送されると共に、抽出されたデフォルトの縮尺及びデフォルトの表示座標、並びに記憶部上の表示範囲に基づいて、記憶部上のベース地図の一部が顧客ＰＣ５に転送される（ステップＳ１４）。
【００５１】
この際、記憶部上にデフォルトの縮尺と同じ縮尺のベース地図がある場合は、その縮尺のベース地図の一部が転送される。一方、記憶部上にデフォルトの縮尺と同じ縮尺のベース地図がない場合は、デフォルトの縮尺に最も近い縮尺のベース地図がデフォルトの縮尺に拡大又は縮尺された上で、その一部が転送される。
【００５２】
図８に示すように、転送された閲覧ページ３１は、顧客ＰＣ５の表示部により表示される。転送されたベース地図３２は、閲覧ページ３１の地図ウィンドウ３３内に、デフォルトの表示座標が地図ウィンドウ３３の例えば中心に位置するように表示される。
【００５３】
なお、表示座標は、店舗の位置座標に限定されるものではなく、部署が管轄するエリアの中心付近の座標等であってもよい。
【００５４】
ベース地図３２については、必要に応じて、拡大、縮小、又は移動（ステップＳ１５）が可能である。
【００５５】
ベース地図３２の拡大又は縮小に際しては、表示された閲覧ページ３１上の複数の縮尺ボタン３４のうちの所望の縮尺ボタン３４をクリックすることによって、顧客ＰＣ５の操作部により変更後の縮尺及びその時点の表示座標が入力される。
【００５６】
ベース地図３２の移動に際しては、閲覧ページ３１上の例えば８方向（東方向、西方向、南方向、北方向、北東方向、南東方向、北西方向、南西方向）の移動ボタン３５のうちの所望の移動ボタン３５をクリックするか、又は移動モードにおいて地図ウィンドウ３３内のベース地図３２上の任意のポイントをクリックすることによって、顧客ＰＣ５の操作部によりその時点の縮尺及び変更後の表示座標が入力される。
【００５７】
各移動ボタン３５には、表示座標の移動量がそれぞれ設定されている。任意のポイントをクリックした場合は、そのポイントの位置座標が変更後の表示座標として設定される。閲覧ページ３１上には、移動モードと参照モードとをクリックにより切換可能なモード切換ボタン３６が設けられている。任意のポイントをクリックすることによりベース地図３２を移動させる場合において、参照モードに設定されていれば、モード切換ボタン３６のクリックにより移動モードに切り換えればよい。なお、デフォルトのモードとしては、移動モードが望ましい。
【００５８】
次いで、入力された縮尺及び表示座標、並びに記憶部上の表示範囲に基づいて、記憶部上のベース地図の一部が顧客ＰＣ５に転送される。
【００５９】
この際、記憶部上に、入力された縮尺と同じ縮尺のベース地図がある場合は、その縮尺のベース地図の一部が転送される。一方、入力された縮尺と同じ縮尺のベース地図がない場合は、入力された縮尺に最も近い縮尺のベース地図が、入力された縮尺に拡大又は縮尺された上で、その一部が転送される。
【００６０】
転送されたベース地図３２は、閲覧ページ３１の地図ウィンドウ３３内に、入力された表示座標が地図ウィンドウ３３の例えば中心に位置するように表示される。
【００６１】
商圏名については、必要に応じて、検索（ステップＳ１６）が可能である。商圏名の検索に際しては、図９に示すように、閲覧ページ３１上の例えば基本商圏欄３７で期間、媒体新聞名、及び店舗名等のうちの少なくともいずれかを指定し、基本商圏欄３７内の検索ボタン３８をクリックすることによって、顧客ＰＣ５の操作部により検索条件（例えば媒体新聞名としての「Ａ新聞」）が入力される。
【００６２】
次いで、入力された検索条件に基づいて、記憶部上の商圏名が顧客ＰＣ５に転送される。転送された商圏名３９は、顧客ＰＣ５の表示部により基本商圏欄３７内に一覧表示又は表示される。
【００６３】
商圏名３９としては、『日付（例えば「20060428」）_セールタイトル（例えば「標準版」）_店舗名（例えば「伊丹店」）_媒体新聞名（例えば「Ａ新聞」）』等が挙げられる。日付は、新聞折込広告の実施日の他、商圏名３９等を含む各種データの格納日等であってもよい。商圏名３９を検索しない場合は、あらかじめ基本商圏欄３７内に複数の商圏名３９を格納しておけばよい。
【００６４】
閲覧ページ３１上の目的商圏欄４０やその他商圏欄４１も、基本商圏欄３７と同様に構成しておいてもよい。目的商圏欄４０は、店舗が目的に応じて商圏を使い分ける場合等に利用することができる。例えば、総合スーパーの店舗が自店舗の広告チラシに食品を掲載する場合は、徒歩や自転車で来店できるエリアを商圏とする一方、衣料品、家具、又は家電を掲載する場合は、電車や自動車で来店できるエリアまで商圏を広げるようにすれば、目的に応じて商圏を使い分けることができる。同様に、平日と週末との間での商圏の使い分け、レギュラーのセール時と周年祭・クリスマス等の大型セール時との間での商圏の使い分け等が可能である。
【００６５】
なお、目的商圏欄４０やその他商圏欄４１では、上記のような検索機能がなくてもよい。目的商圏欄４０やその他商圏欄４１に検索機能がない場合は、あらかじめ目的商圏欄４０内やその他商圏欄４１内に複数の商圏名３９を格納しておけばよい。この場合、検索機能を有する基本商圏欄３７と、検索機能を有しない目的商圏欄４０やその他商圏欄４１との間でも、検索機能の有無による使い分けが可能である。
【００６６】
図１０に示すように、所望の商圏名（例えば「20060428_伊丹店_Ａ新聞」）３９を指定し、閲覧ページ３１上の表示更新ボタン４２をクリックすることによって、顧客ＰＣ５の操作部により商圏名３９、縮尺（例えば「１／２５０００」）、及び表示座標が入力された場合（ステップＳ１７）、入力された商圏名３９に基づいて、記憶部に格納された新聞配達エリア図上の商圏が区別化されて商圏図が生成される（ステップＳ１８）。
【００６７】
次いで、入力された縮尺及び表示座標、並びに記憶部上の表示範囲に基づいて、生成された商圏図の一部が顧客ＰＣに転送される（ステップＳ１９）。
【００６８】
この際、商圏図の縮尺が、入力された縮尺と同じである場合は、その縮尺のまま商圏図の一部が転送される。一方、商圏図の縮尺が、入力された縮尺と同じでない場合は、商圏図が、入力された縮尺に拡大又は縮尺された上で、その一部が転送される。
【００６９】
転送された商圏図５１は、顧客ＰＣ５の表示部により、閲覧ページ３１の地図ウィンドウ３３内に、入力された表示座標が地図ウィンドウ３３の例えば中心に位置するようにベース地図３２上に重ね合わせて表示される。
【００７０】
商圏図５１は、複数の新聞販売店の新聞配達エリア５２を示す新聞配達エリア図５３上の商圏５４を区別化したものである。商圏５４は、少なくとも１つ（例えば３つ）の新聞配達エリア５２を有しており、記憶部上に日付、セール、店舗、媒体新聞等のうちの少なくともいずれかごとに設定されている。商圏５４を区別化する手法としては、図１０のような商圏５４への色塗りの他、商圏５４へのハッチング記入、商圏５４の外周ラインの太線化、商圏５４の外周ラインの色変更等が挙げられる。
【００７１】
商圏図５１についても、必要に応じて、ベース地図３２の場合と同様にして、拡大、縮小、又は移動（ステップＳ２０）が可能である。
【００７２】
商圏図５１の拡大又は縮小に際しては、閲覧ページ３１上の所望の縮尺ボタン（例えば「１／１００００」ボタン）３４をクリックすることによって、顧客ＰＣ５の操作部により変更後の縮尺及びその時点の表示座標が入力される。
【００７３】
商圏図５１の移動に際しては、閲覧ページ３１上の所望の移動ボタン３５をクリックするか、又は移動モードにおいて地図ウィンドウ３３内のベース地図３２上の任意のポイントをクリックすることによって、顧客ＰＣ５の操作部によりその時点の縮尺及び変更後の表示座標が入力される。
【００７４】
次いで、上記と同様にして、入力された縮尺及び表示座標、並びに記憶部上の表示範囲に基づいて、記憶部上のベース地図３２の一部、及び生成された商圏図５１の一部が顧客ＰＣ５に転送される。
【００７５】
図１１に示すように、転送されたベース地図３２及び商圏図５１は、閲覧ページ３１の地図ウィンドウ３３内に、入力された表示座標が地図ウィンドウ３３の例えば中心に位置するように表示される。
【００７６】
顧客ＰＣ５の操作部により閲覧ページ３１上のログアウトボタン６１がクリックされた場合、顧客ＰＣ５の操作部によりブラウザが終了された場合、又は、無操作状態で設定タイムアウト時間が経過した場合、ログアウト処理（ステップＳ２１）が行われ、商圏管理システム１の顧客ＰＣ５に対する閲覧サービスが終了する。
【００７７】
このように、商圏管理システム１によれば、顧客にとっては、所望の商圏図５１を閲覧できる一方、商圏管理者である新聞折込広告業者にとっては、商圏５４に関する資料の標準化、及び顧客からの商圏５４に関する問合せ・資料請求への対応業務の省力化を図ることができるという利点がある。商圏管理システム１の適用前と適用後の状況の変化は、図１２のようになる。
【００７８】
なお、図示しないが、日付、店舗名、又は媒体新聞名が異なる複数の商圏名３９を入力することによって、複数の商圏図５１を重ね合わせて表示するようにすれば、商圏図５１の日付、店舗名、又は媒体新聞名による違いを把握することができる。例えば、地域事業部や本部等の顧客の部署に所属する全店舗の商圏図５１を一斉表示するようにしておけば、管轄店舗間の商圏５４の隙間エリアや重なりを点検できるので、顧客の部署が地域戦略策定・ドミナント（領域）管理〔例えば、管轄店舗間の商圏５４の隙間エリアへの新規出店の検討〕を行い易いと共に、管轄店舗間の商圏５４が重ならないようにすれば、新聞折込広告コストを削減することができる。
【００７９】
ここで、ログアウト処理前においては、新聞配達エリア図名についても、検索が可能である。新聞配達エリア図名の検索に際しては、図１３に示すように、閲覧ページ３１上の例えば媒体エリア図欄６２で日付等の検索条件（例えば日付としての「20060712」）を指定し、媒体エリア図欄６２内の検索ボタン６３をクリックすることによって、顧客ＰＣ５の操作部により検索条件が入力される。
【００８０】
次いで、入力された検索条件に基づいて、記憶部上の新聞配達エリア図名が顧客ＰＣ５に転送される。転送された新聞配達エリア図名６４は、顧客ＰＣ５の表示部により媒体エリア図欄６２内に一覧表示又は表示される。
【００８１】
新聞配達エリア図名６４としては、『都道府県名（例えば「兵庫」）_媒体新聞名（例えば「Ａ新聞」）_日付（例えば「20060620」）』等が挙げられる。新聞配達エリア図５３は、記憶部に都道府県、媒体新聞、日付等のうちの少なくともいずれかごとに格納されている。新聞配達エリア図５３を日付ごとに格納しておけば、新聞配達エリア図５３の履歴管理が可能である。新聞配達エリア図名６４を検索しない場合は、あらかじめ媒体エリア図欄６２内に複数の新聞配達エリア図名６４を格納しておけばよい。
【００８２】
所望の新聞配達エリア図名（例えば「兵庫_Ａ新聞_20060620」）６４を指定し、新聞配達エリア図５３の表示指示（例えば「名称なし」）をし、閲覧ページ３１上の表示更新ボタン４２をクリックすることによって、顧客ＰＣ５の操作部により新聞配達エリア図名６４、縮尺（例えば「１／２５０００」）、及び表示座標が入力された場合、入力された新聞配達エリア図名６４、縮尺、及び表示座標、並びに記憶部上の表示範囲に基づいて、記憶部上の新聞配達エリア図５３の一部が顧客ＰＣ５に転送される。
【００８３】
この際、新聞配達エリア図５３の縮尺が、入力された縮尺と同じである場合は、その縮尺のまま新聞配達エリア図５３の一部が転送される。一方、新聞配達エリア図５３の縮尺が、入力された縮尺と同じでない場合は、新聞配達エリア図５３が、入力された縮尺に拡大又は縮尺された上で、その一部が転送される。
【００８４】
図示しないが、転送された新聞配達エリア図５３は、顧客ＰＣ５の表示部により、閲覧ページ３１の地図ウィンドウ３３内に、入力された表示座標が地図ウィンドウ３３の例えば中心に位置するようにベース地図３２及び商圏図５１の上に重ね合わせて表示される。
【００８５】
図１４に示すように、所望の新聞配達エリア図名（例えば「兵庫_Ａ新聞_20060620」）６４を指定し、新聞配達エリア図５３と新聞販売店名と新聞配達部数との表示指示（例えば「名称と部数」）をし、閲覧ページ３１上の表示更新ボタン４２をクリックすることによって、顧客ＰＣ５の操作部により新聞配達エリア図名６４、縮尺（例えば「１／２５０００」）、及び表示座標が入力された場合、入力された新聞配達エリア図名６４、縮尺、及び表示座標、並びに記憶部上の表示範囲に基づいて、記憶部上の新聞配達エリア図５３の一部、新聞販売店名、及び新聞配達部数が顧客ＰＣに転送される。
【００８６】
転送された新聞配達エリア図５３、新聞販売店名６５、及び新聞配達部数６６は、顧客ＰＣ５の表示部により、ベース地図３２及び商圏図５１の上に重ね合わせて表示される。新聞販売店名６５は、新聞配達エリア５２の中心座標又はその近傍に表示されるように設定されている。新聞配達部数６６は、新聞販売店名６５の近傍に表示されるように設定されている。
【００８７】
所望の新聞配達エリア図名（例えば「兵庫_Ａ新聞_20060620」）６４を指定し、新聞配達エリア図５３と新聞販売店名との表示指示（例えば「名称のみ」）をし、閲覧ページ３１上の表示更新ボタン４２をクリックすることによって、顧客ＰＣ５の操作部により新聞配達エリア図名６４、縮尺（例えば「１／２５０００」）、及び表示座標が入力された場合、入力された新聞配達エリア図名６４、縮尺、及び表示座標、並びに記憶部上の表示範囲に基づいて、記憶部上の新聞配達エリア図５３の一部及び新聞販売店名が顧客ＰＣ５に転送される。
【００８８】
図示しないが、転送された新聞配達エリア図５３及び新聞販売店名６５は、顧客ＰＣ５の表示部により、ベース地図３２及び商圏図５１の上に重ね合わせて表示される。
【００８９】
このように、所望の新聞配達エリア図５３、新聞配達エリア図５３と新聞販売店名６５、又は、新聞配達エリア図５３と新聞販売店名６５と新聞配達部数６６を表示するようにしておけば、顧客が新聞折込広告の実施を計画するための基本資料を簡単に閲覧できるという利点がある。また、新聞販売店の統廃合、新聞配達部数の改定等による新聞配達エリア図５３、新聞販売店名６５、及び新聞配達部数６６の更新履歴を管理しておけば、任意の日付を指定することによって、過去の基本資料を閲覧できるという利点がある。
【００９０】
なお、図示しないが、商圏名３９を指定しないで表示更新ボタン４２をクリックすれば、商圏図５１が表示されず、ベース地図３２上に新聞配達エリア図５３を重ね合わせて表示することができる。また、商圏図５１の場合と同様、日付が異なる複数の新聞配達エリア図５３を重ね合わせて表示すれば、新聞配達エリア５２の日付による違いを把握することができる。
【００９１】
同様に、閲覧ページ３１上の商圏名３９の近傍にある表示指示部（例えば「明細」）６７（図１０参照）をクリックすることによって、顧客ＰＣ５の操作部により配布明細表の表示指示及び商圏名３９が入力された場合、入力された商圏名３９に基づいて、記憶部上の複数の店舗名、複数の新聞販売店名、各新聞販売店の新聞配達部数、及び各新聞販売店の広告チラシ配布部数からなる配布明細表が作成される。作成された配布明細表は、顧客ＰＣ５に転送される。図１５に示すように、転送された配布明細表６８は、顧客ＰＣ５の表示部により別ウィンドウ上に表示される。
【００９２】
このように、所望の配布明細表６８を表示するようにしておけば、店舗に関する新聞折込広告の実施状況を簡単に確認できるという利点がある。また、新聞販売店の統廃合、新聞配達部数の改定等による新聞販売店名、新聞配達部数、及び広告チラシ配布部数の更新履歴を管理しておけば、任意の日付を指定することによって、新聞折込広告の過去の実施状況を確認できるという利点がある。
【００９３】
同様に、閲覧ページ３１上のマーケットボタン７１（図１０参照）をクリックすれば、記憶部上のマーケット図選択メニューが顧客ＰＣ５に転送される。図１６に示すように、転送されたマーケット図選択メニュー７２は、顧客ＰＣ５の表示部により別ウィンドウ上に表示される。
【００９４】
マーケット図選択メニュー７２上の所望のマーケット図名（例えば「伊丹店円3_5_10ｋｍ」及び「伊丹店車5_10_20分」）７３を指示し、閲覧ページ３１上の表示更新ボタン４２をクリックすることによって、顧客ＰＣ５の操作部によりマーケット図名７３、縮尺、及び表示座標が入力された場合、入力されたマーケット図名７３、縮尺、及び表示座標、並びに記憶部上の表示範囲に基づいて、記憶部上のマーケット図の一部が顧客ＰＣ５に転送される。図１７に示すように、転送されたマーケット図７４、７５は、ベース地図３２及び商圏図５１の上に重ね合わせて表示される。
【００９５】
マーケット図７４は、店舗を中心とした距離圏を示すものであり、半径３ｋｍの第１円７４ａ、半径５ｋｍの第２円７４ｂ、及び半径１０ｋｍの第３円７４ｃを有している。
【００９６】
マーケット図７５は、自動車による店舗までの所要時間圏を示すものであり、自動車で５分かかるエリアを示す第１エリア線７５ａ、自動車で１０分かかるエリアを示す第２エリア線７５ｂ、及び自動車で２０分かかるエリアを示す第３エリア線７５ｃを有している。
【００９７】
なお、マーケット図７４、７５についても、上記と同様にして拡大、縮小、又は移動が可能である。また、マーケット図は、図１７のようなマーケット図７４、７５に限定されるものではなく、地域の世帯数や年代人口比率等の市場特性を示すもの、ポイントカードの利用会員の住所集計による地域の利用率や利用金額シェア等の店舗の利用状況を示すもの等であってもよい。更に、図１のようなＧＩＳ１９で作成されたマップを取り込んでマーケット図として登録しておいてもよい。
【００９８】
このように、マーケット図７４、７５を表示するようにしておけば、商圏５４の広がり・地域的な特徴を把握した上で、販売促進・売場作りの立案、顧客会員の利用域と商圏５４との整合性検証等を簡単に行えるという利点がある。
【００９９】
同様に、閲覧ページ３１上のレイヤーボタン８１（図１０参照）をクリックすれば、記憶部上の参考対象マーク選択メニューが顧客ＰＣ５に転送される。図１８に示すように、転送された参考対象マーク選択メニュー８２は、顧客ＰＣ５の表示部により別ウィンドウ上に表示される。
【０１００】
参考対象としては、顧客の店舗、顧客の競合者の店舗、顧客又はその競合者の店舗に誘導するための来店誘導看板、出店予定地等が挙げられる。
【０１０１】
参考対象マーク選択メニュー８２上の所望の参考対象マーク名（例えば「会員情報_伊丹」）８３を指示し、閲覧ページ３１上の表示更新ボタン４２をクリックすることによって、顧客ＰＣ５の操作部により参考対象マーク名８３が入力された場合、入力された参考対象マーク名８３、並びに、記憶部上の表示範囲及びそれに含まれる参考対象の位置座標に基づいて、記憶部上の参考対象マークが顧客ＰＣ５に転送される。図示しないが、転送された参考対象マークは、ベース地図３２及び商圏図５１の上に重ね合わせて表示される。
【０１０２】
このように、参考対象マークを表示するようにしておけば、顧客の店舗位置、競合者の店舗位置、顧客の店舗と競合者の店舗との位置関係、来店誘導看板の位置、出店予定地の位置等を把握し易いという利点がある。
【０１０３】
同様に、図示しないが、参照モードにおいて、所望の参考対象マークをクリックすることによって、所望の参考対象マークが選択された場合、選択された参考対象マークに基づいて、記憶部上の参考対象情報が顧客ＰＣ５に転送される。参照モードに設定するには、閲覧ページ３１上のモード切換ボタン３６をクリックすることによって、移動モードから切り換えればよい。転送された参考対象情報は、顧客ＰＣ５の表示部により別ウィンドウ上に表示される。
【０１０４】
参考対象情報としては、前記参考対象の外観写真、店舗概要、誘導内容、不動産契約概要等が挙げられる。
【０１０５】
このように、参考対象情報を表示するようにしておけば、顧客が前記参考対象の外観、店舗概要、誘導内容、不動産契約概要等を把握し易いという利点がある。
【産業上の利用可能性】
【０１０６】
以上のように、本発明に係る商圏管理システムにおいては、多店舗展開しかつ新聞折込広告の運用・管理を行っている顧客が、店舗周辺の家庭に対する新聞折込広告を計画する際に、店舗に関する商圏図等を閲覧することができる。そのため、顧客の地域事業部や本部等の部署の管理者、店舗の店長や販促担当者等が、所望の店舗もしくは自店舗に関する商圏図を閲覧し、店舗の新聞折込広告の実施状況、広告チラシの配布エリアを掌握するのに適している。
【０１０７】
また、顧客の部署に所属する全店舗に関する商圏図を一斉表示することもできるので、その部署が管轄店舗間の商圏の重なりや隙間エリアをチェックし、同じ家庭に複数の自社店舗の広告チラシが配布されることによる経費の無駄を排除したり、逆に、管轄店舗間に意図しない商圏の隙間エリアができて自社店舗の広告チラシが全く配布されない地域が生ずることを防止する等、管轄店舗の販売促進の運用・管理にも適している。同様に、地域を自社の店舗網で覆ってその地域を制覇するドミナント戦略の遂行中においては、ドミナント形成状況を把握できるので、自社の店舗網の大きな隙間や競合店の配置から新規出店を検討したり、自店密度が高すぎる地域にある店舗の統廃合を検討する等、店舗開発に関する業務にも適している。
【０１０８】
更に、店舗周辺地域・管轄地域の特徴、市場性、カード会員データの住所集計による会員化率・利用頻度・利用金額シェアの色分け地図をマーケット図として作成し、商圏管理システムに掲載すれば、地域・利用状況に応じた販売促進策の策定、売場作りの立案、売場の活性化、競合店対策等のための共通情報基盤として利用することができる。
【０１０９】
なお、商圏管理システムにおける各種データの更新作業・更新履歴管理業務を代行業者にアウトソーシングしていれば、新聞折込広告業者がデータの更新作業・更新履歴管理業務を自身で行う必要がなくなるので、担当部署の業務負担の軽減や人員の削減が可能であるというメリットが生じる。また、上記の代行業者が所有しているが、自身が所有していないデータの利用（商圏管理システムへの代行業者による手入力、又は代行業者のデータ提供システムからの転送等）契約を、新聞折込広告業者がその代行業者と締結すれば、自身が所有していなかったデータを、商圏管理システムを通じて顧客に提供できるようになるというメリットが生じる。更に、顧客端末側で利用会員の住所集計を行わせたり、自システム側で店舗の任意の距離圏の人口・世帯数を集計したりできるＧＩＳ（地理情報システム）機能、実績商圏・商圏パターンを選択して新聞折込広告を発注できる機能等を商圏管理システムに追加すれば、この商圏管理システムを多店舗展開している顧客の店舗管理とエリアマーケティングの総合サービスシステムに拡張することができる。
【図面の簡単な説明】
【０１１０】
【図１】実施形態に係る商圏管理システムのネットワーク構成例を示すブロック図。
【図２】閲覧サービスにおける処理例の一部を示すフローチャート。
【図３】閲覧サービスにおける処理例の一部を示すフローチャート。
【図４】閲覧サービスにおける処理例の一部を示すフローチャート。
【図５】トップページを表示した状態を示す説明図。
【図６】店舗選択メニューを表示した状態を示す説明図。
【図７】部署選択メニューを表示した状態を示す説明図。
【図８】閲覧ページ及びベース地図を表示した状態を示す説明図。
【図９】閲覧ページ上に商圏名を表示した状態を示す説明図。
【図１０】商圏図をベース地図上に重ね合わせて表示した状態を示す説明図。
【図１１】縮尺を変更した後の状態を示す説明図。
【図１２】商圏管理システムの適用前と適用後の状況の変化を示す説明図。
【図１３】閲覧ページ上に新聞配達エリア図名を表示した状態を示す説明図。
【図１４】新聞配達エリア図、新聞販売店名、及び新聞配達部数をベース地図及び商圏図の上に重ね合わせて表示した状態を示す説明図。
【図１５】配布明細表を表示した状態を示す説明図。
【図１６】マーケット図選択メニューを表示した状態を示す説明図。
【図１７】２種類のマーケット図をベース地図及び商圏図の上に重ね合わせて表示した状態を示す説明図。
【図１８】参考対象マーク選択メニューを表示した状態を示す説明図。
【符号の説明】
【０１１１】
１  商圏管理システム
２  商圏管理サーバー
３  ｗｅｂサーバー
５  顧客ＰＣ（顧客端末）
１３  インターネット（ネットワーク）
２５  店舗選択メニュー
２６  店舗名
２７  部署選択メニュー
２８  地域事業部名（部署名）
３２  ベース地図
３９  商圏名
５１  商圏図
５３  新聞配達エリア図
５４  商圏
６４  新聞配達エリア図名
６５  新聞販売店名
６６  新聞配達部数
６８  配布明細表
７３  マーケット図名
７４、７５  マーケット図
８３  参考対象マーク名
【図１】
2008090440.tif 000003
【図２】
2008090440.tif 000004
【図３】
2008090440.tif 000005
【図４】
2008090440.tif 000006
【図５】
2008090440.tif 000007
【図６】
2008090440.tif 000008
【図７】
2008090440.tif 000009
【図８】
2008090440.tif 000010
【図９】
2008090440.tif 000011
【図１０】
2008090440.tif 000012
【図１１】
2008090440.tif 000013
【図１２】
2008090440.tif 000014
【図１３】
2008090440.tif 000015
【図１４】
2008090440.tif 000016
【図１５】
2008090440.tif 000017
【図１６】
2008090440.tif 000018
【図１７】
2008090440.tif 000019
【図１８】
2008090440.tif 000020